(57)【要約】【課題】撮影者が撮影を中断することなく、またプレビュー表示などの画像確認なしで、撮影した画像に重要度をつけ、その後、撮影者が行う画像を選別する作業を簡単にできるようにする。【解決手段】撮像素子１４などを含む撮影部は画像を撮影する。記録部２０２は前記撮影した画像を記録する。撮影情報記録部６８は前記撮影した画像の撮影情報を記録する。画像表示部２８は前記撮影した画像を表示する。重要度設定部６６は撮影情報記録部６８に記録された撮影情報が所定の条件に合致する前記記録された画像に、該画像についての画像表示部２８による表示の動作とは関係なく重要度を付加する。これにより、撮影者が撮影を中断することなく、またプレビュー表示などの画像確認なしで、撮影した画像に重要度をつけることができる。【選択図】  図１
2010004474.tif 000002
【特許請求の範囲】
【請求項１】
画像を撮影する撮影手段と、
前記撮影した画像を記録する記録手段と、
前記撮影した画像の撮影情報を記録する撮影情報記録手段と、
前記撮影した画像を表示する表示手段と、
前記撮影情報記録手段により記録された撮影情報が所定の条件に合致する前記記録された画像に、該画像についての前記表示手段による表示の動作とは関係なく重要度を付加する重要度付加手段とを備えることを特徴とする撮像装置。
【請求項２】
前記撮影情報記録手段に記録された撮影情報に対する所定の条件は、ユーザ操作によって選択が可能であることを特徴とする請求項１に記載の撮像装置。
【請求項３】
前記撮影情報記録手段は、撮影日時を含む情報を記録することを特徴とする請求項１又は２に記載の撮像装置。
【請求項４】
前記撮影情報記録手段は、連写撮影の情報を記録することを特徴とする請求項１又は２に記載の撮像装置。
【請求項５】
前記重要度付加手段は、ユーザ操作によって重要度のレベルの変更が可能であることを特徴とする請求項１又は２に記載の撮像装置。
【請求項６】
前記重要度付加手段は、所定時間内に撮影された画像で新しいものほど高い重要度を付加することを特徴とする請求項１又は２に記載の撮像装置。
【請求項７】
前記重要度付加手段により画像に重要度が付加された場合に、前記表示手段は該画像を表示することを特徴とする請求項１に記載の撮像装置。
【請求項８】
前記撮影した画像を外部装置に送信する送信手段と、
前記送信手段による画像の送信後、前記重要度付加手段により画像に重要度が付加された場合に、重要度の変更の旨を外部装置に通知する重要度変更通知手段とを備えることを特徴とする請求項１に記載の撮像装置。
【請求項９】
画像を撮影する撮影手段と、前記撮影した画像を記録する記録手段と、前記撮影した画像の撮影情報を記録する撮影情報記録手段と、前記撮影した画像を表示する表示手段とを備えた撮像装置の制御方法であって、
前記撮影情報記録手段により記録された撮影情報が所定の条件に合致する前記記録された画像に、該画像についての前記表示手段による表示の動作とは関係なく重要度を付加するステップを有することを特徴とする撮像装置の制御方法。
【請求項１０】
画像を撮影する撮影手段と、前記撮影した画像を記録する記録手段と、前記撮影した画像の撮影情報を記録する撮影情報記録手段と、前記撮影した画像を表示する表示手段とを備えた撮像装置の制御をコンピュータに実行させるためのプログラムであって、
前記撮影情報記録手段により記録された撮影情報が所定の条件に合致する前記記録された画像に、該画像についての前記表示手段による表示の動作とは関係なく重要度を付加するステップをコンピュータに実行させるためのプログラム。
【発明の詳細な説明】
【技術分野】
【０００１】
本発明は、静止画像や動画を撮影、記録した画像データに重要度を設定するデジタルカメラなどの撮像装置、その制御方法及びプログラムに関する。
【背景技術】
【０００２】
従来、デジタルカメラの多くは、液晶などの画像表示装置を具備し、記録媒体に保存されている画像データをプレビュー表示や再生表示することができる。また、表示している画像や表示している画像の中の一部の選択された画像などに重要度を設定する手段を具備しているものもある。
【０００３】
このようなデジタルカメラの撮影者は、記録媒体に画像を多く保存することができることもあり、非常に多くの枚数の画像を撮影するようになっている。そのため、その中からピントや構図を確認して、必要な画像を選択するということは非常に時間のかかる作業になっていた。
【０００４】
特許文献１には、撮影前に重要度を選択しておき、重要度を示す情報を画像記録時にその画像に関連付けて記録することが記載されている。この手法では、予め設定された重要度を記録する他に、破綻している可能性の高い画像に対して、自動的に低い重要度を設定することも可能としている。
【０００５】
【特許文献１】特開２００２−２６２２２１号公報
【発明の開示】
【発明が解決しようとする課題】
【０００６】
非常に多く撮影した画像から必要な画像を数枚選択するという場合には、画像をプレビューや再生表示して、露出、ピントや構図をしっかり確認する必要がある。上述したように、この作業には非常に時間がかかる。また、撮影した後に画像をプレビューや再生表示して露出、ピントや構図を行うには撮影を中断しなければならない。
【０００７】
一方で、撮影したすぐ後では、撮影した画像が必要なものである可能性が高いことが撮影者には画像を確認しなくても分かる場合がある。
【０００８】
本発明は上記事情に鑑みなされたものであり、撮影者が撮影を中断することなく、またプレビュー表示などの画像確認なしで、撮影した画像に重要度をつけ、その後、撮影者が行う画像を選別する作業を簡単にできるようにすることを目的とする。
【課題を解決するための手段】
【０００９】
本発明の撮像装置は、画像を撮影する撮影手段と、前記撮影した画像を記録する記録手段と、前記撮影した画像の撮影情報を記録する撮影情報記録手段と、前記撮影した画像を表示する表示手段と、前記撮影情報記録手段により記録された撮影情報が所定の条件に合致する前記記録された画像に、該画像についての前記表示手段による表示の動作とは関係なく重要度を付加する重要度付加手段とを備えることを特徴とする。
また、本発明の撮像装置の制御方法は、画像を撮影する撮影手段と、前記撮影した画像を記録する記録手段と、前記撮影した画像の撮影情報を記録する撮影情報記録手段と、前記撮影した画像を表示する表示手段とを備えた撮像装置の制御方法であって、前記撮影情報記録手段により記録された撮影情報が所定の条件に合致する前記記録された画像に、該画像についての前記表示手段による表示の動作とは関係なく重要度を付加するステップを有することを特徴とする。
また、本発明のプログラムは、画像を撮影する撮影手段と、前記撮影した画像を記録する記録手段と、前記撮影した画像の撮影情報を記録する撮影情報記録手段と、前記撮影した画像を表示する表示手段とを備えた撮像装置の制御をコンピュータに実行させるためのプログラムであって、前記撮影情報記録手段により記録された撮影情報が所定の条件に合致する前記記録された画像に、該画像についての前記表示手段による表示の動作とは関係なく重要度を付加するステップをコンピュータに実行させるためのプログラムである。
【発明の効果】
【００１０】
本発明によれば、画像のプレビュー表示や再生表示の動作と関係なく、また、撮影者が撮影を中断することなく、撮影後に撮影者の意図した重要度を画像に付加することができ、その後の画像を選別する作業を簡単にできるようにすることができる。
【発明を実施するための最良の形態】
【００１１】
以下、図面を参照して本発明の実施の形態を説明する。
（第１の実施の形態）
図１は、本発明の第１の実施の形態に係る撮像装置であるデジタルカメラの構成を示した図である。
【００１２】
図１において、１００はデジタルカメラである。１０は撮影レンズである。１２は光学像を電気信号に変換する撮像素子である。１４は撮像素子１２のアナログ信号出力をディジタル信号に変換するＡ／Ｄ変換器である。
【００１３】
２０は画像処理回路であり、Ａ／Ｄ変換器１４からのデータあるいはメモリ制御回路２２からのデータに対して所定の画素補間処理や色変換処理を行う。２２はメモリ制御回路であり、Ａ／Ｄ変換器１４、画像処理回路２０、画像表示メモリ２４、Ｄ／Ａ変換器２６、メモリ３０、圧縮・伸長回路３２を制御する。Ａ／Ｄ変換器１４のデータは、画像処理回路２０、メモリ制御回路２２を介して、あるいは直接メモリ制御回路２２を介して、画像表示メモリ２４あるいはメモリ３０に書き込まれる。
【００１４】
２４は画像表示メモリである。２６はＤ／Ａ変換器である。２８はＴＦＴ ＬＣＤなどからなる画像表示部である。画像表示メモリ２４に書き込まれた表示用の画像データは、Ｄ／Ａ変換器２６を介して画像表示部２８により表示される。
【００１５】
３０は撮影した静止画像や動画像を格納するためのメモリであり、所定枚数の静止画像や所定時間の動画像を格納するのに十分な記憶量を備えている。これにより、当該デジタルカメラは、複数枚の静止画像を連続して撮影する連写撮影の場合にも、高速かつ大量の画像書き込みをメモリ３０に対して行うことが可能となる。
【００１６】
３２は画像データを圧縮伸長する圧縮・伸長回路であり、メモリ３０に格納された画像を読み込んで圧縮処理あるいは伸長処理を行い、処理を終えたデータをメモリ３０に書き込む。
【００１７】
５０はデジタルカメラ１００全体を制御するシステム制御回路である。５２はシステム制御回路５０の動作用の定数、変数、プログラムなどを記憶するメモリである。
【００１８】
６０、６２及び６４は、システム制御回路５０の各種の動作指示を入力するための操作手段であり、スイッチやダイアル、タッチパネルなどの単数あるいは複数の組み合わせで構成される。ここで、これらの操作手段の具体的な説明を行う。
【００１９】
６０はモードダイアルスイッチであり、撮影モード、再生モード、マルチ画面再生・消去モード、ＰＣ接続モードなどの各機能モードを切り替え設定することができる。
【００２０】
６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理などの動作開始を指示する。
【００２１】
６４はシャッタースイッチＳＷ２であり、不図示のシャッターボタンの完全な押下でＯＮとなり、撮影に係る一連の処理の動作開始を指示する。すなわち、まず撮像素子１２から読み出した信号をＡ／Ｄ変換器１４、メモリ制御回路２２を介してメモリ３０に画像データを書き込む（露光処理）。そして、画像処理回路２０やメモリ制御回路２２での演算を用いた現像処理、メモリ３０から画像データを読み出し、圧縮・伸長回路３２で圧縮を行い、記録媒体２００に画像データを書き込む（記録処理）。
【００２２】
６６は撮影情報記録部であり、撮影した画像に係る撮影日時、ファイル名、保存先などの撮影情報のリストを記録する。撮影日時は時計７４により取得することができる。
【００２３】
６８は重要度設定部であり、撮影情報記録部６６により記録された撮影情報のリストの中から所定の情報（条件）に適応する画像データに対して、重要度を設定することをシステム制御回路５０に指示する。６９は重要度設定ボタンであり、重要度設定部６８は、重要度設定ボタン６９に対するユーザ操作に基づき、システム制御回路５０に指示をする。
【００２４】
７０は各種ボタンやタッチパネルなどからなる操作部である。操作部７０には、メニューボタン、セットボタン、マクロボタンなどが含まれる。さらには、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンなども含まれる。
【００２５】
７２は表示部であり、システム制御回路５０のプログラムの実行に応じて、文字、画像、音声等を用いて動作状態やメッセージ等を表示したりする。表示部７２は、デジタルカメラ１００の操作部近辺の視認し易い位置に単数或いは複数個所設置され、例えばＬＣＤやＬＥＤ、発音素子等の組み合わせにより構成される。
【００２６】
８０は電源制御手段であり、電池検出回路、ＤＣ−ＤＣコンバータ、通電するブロックを切り替えるスイッチ回路などにより構成される。電源制御手段８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタであり、８４は電源である。電源８４はコネクタ８２を介してデジタルカメラ１００に装着され、電源制御手段８０により制御される。
【００２７】
９０は外部機器とのインタフェースであり、９２は外部機器と接続を行うコネクタである。インタフェース９０及びコネクタ９２を介して、デジタルカメラ１００は外部機器と情報のやり取りを行う。
【００２８】
２００はメモリカードやハードディスクなどの記録媒体である。記録媒体２００は、半導体メモリや磁気ディスクなどから構成される記録部２０２、デジタルカメラ１００とのインタフェース２０４、デジタルカメラ１００と接続を行うコネクタ２０６を備えている。
【００２９】
次に、図２乃至図５を参照して、第１の実施の形態に係るデジタルカメラ１００の動作を説明する。図２はデジタルカメラ１００の主ルーチンを説明するためのフローチャートである。図３はデジタルカメラ１００の撮影者の動作のタイミングを説明するための図である。図４は、デジタルカメラ１００において重要度設定ボタン６９を押下した際に重要度の付加の対象となる画像を選択するための選択画面を示した図である。以下、デジタルカメラ１００の動作を説明する。
【００３０】
電源投入により動作は開始される。まずステップＳ１０１においてシステム制御回路５０は、フラグや制御変数などを初期化し、画像表示部２８の画像表示をＯＦＦ状態に初期設定する。
【００３１】
次にステップＳ１０２においてシステム制御回路５０は、画像表示部２８に、図４で示した、重要度設定ボタン６９を押した際に重要度の設定の対象となる画像の選択画面を表示する。重要度の設定の対象となる画像は、ここでは「最後に撮影した画像」、「最後に連写撮影した画像」、「最後に撮影した所定枚数の画像」、「所定時間以内に撮影した画像」を挙げているが、これに限定されるものではない。ここでは、撮影者が図４の選択画面のうちのいずれかの対象となる画像の条件（所定の条件）を、操作部７０などを用いて枠４０１により選択して設定したものとする。
【００３２】
次にステップＳ１０３においてシステム制御回路５０は、モードダイアル６０で撮影モードが設定されているか否かを確認する。設定されていたならばステップＳ１０５に進み、モードダイアル６０がその他のモードに設定されていたならばステップＳ１０４に進む。ステップＳ１０４においては、システム制御回路５０は、選択されたモードに応じた処理を実行し、処理を終えたならばステップＳ１０３に戻る。
【００３３】
ステップＳ１０５においては、システム制御回路５０は、記録媒体２００の動作状態がデジタルカメラ１００の動作、特に記録媒体に対する画像データの記録再生動作に問題があるか否かを判断する。問題があるならばステップＳ１０６に進み、所定の警告表示を行った後にステップＳ１０３に戻る。記録媒体２００の動作状態に問題が無いならば、表示部７２を用いて画像や音声によりデジタルカメラ１００の各種設定状態の表示を行った後、ステップＳ１０７に進む。
【００３４】
ステップＳ１０７においてデジタルカメラ１００は、シャッタースイッチＳＷ１（６２）が押下されたか否かを判断する。以下では、シャッタースイッチＳＷ１（６２）が押され、撮影者が図３で示す時刻(Ａ)の時点から撮影を開始し、時刻(Ｄ)まで撮影を行う例を用いて、以下の説明を行う。
【００３５】
シャッタースイッチＳＷ１（６２）が押されるとステップＳ１０８に移行する。ここで、システム制御回路５０は、測距処理を行って撮影レンズ１０の焦点を被写体に合わせ、測光処理を行って絞り値及びシャッター時間を決定する。ここで測光処理においては、必要であればフラッシュの設定も行う。
【００３６】
次にステップＳ１０９においてシステム制御回路５０は、シャッタースイッチＳＷ２（６４）が押されたか否かを判断する。ここでシャッタースイッチＳＷ２（６４）が押されたならばシステム制御回路５０はステップＳ１１０に進む。
【００３７】
ステップＳ１１０においてシステム制御回路５０は、露光処理及び現像処理からなる撮影処理を実行する。
【００３８】
次にステップＳ１１１においてシステム制御回路５０は、撮影情報記録部６６により図５に示すような撮影情報のリストを生成する。撮影情報記録部６６は、画像データの撮影日時を時計７４から取得し、さらに連写の場合にはシステム制御回路５０から連写コマ番号、画像データを保存する保存先、ファイル名などを取得し、撮影情報のリストを生成する。撮影情報は、図４で示した重要度設定の対象の画像が、この情報から検索できる情報として生成される。
【００３９】
次にステップＳ１１２においてシステム制御回路５０は、メモリ３０に書き込まれた画像データを読み出して、メモリ制御回路２２また必要に応じて画像処理回路２０を用いて各種画像処理を行う。そして、圧縮・伸長回路３２を用いて設定したモードに応じた画像圧縮処理を行った後、記録媒体２００に画像データの書き込みを行う記録処理を実行する。
【００４０】
ここで図３を参照すると、撮影者は、時刻(Ａ)から撮影を開始し、時刻(Ｂ)から時刻(Ｃ)の間に撮影された画像が重要度の高いことが分かり、時刻(Ｃ)の時点でデジタルカメラ１００の重要度設定ボタン６９を押したものとする。そして撮影者は時刻(Ｃ)以降も撮影を続けているものとする。
【００４１】
次にステップＳ１１３においてシステム制御回路５０は、重要度設定ボタン６９が押されたか否かを確認する。押された場合にはステップＳ１１４に進む、押されていない場合はステップＳ１１７に進む。
【００４２】
ステップＳ１１４においては、システム制御回路５０は、重要度設定部６８により、作成した撮影情報のリストを参照し、撮影された画像が重要度を設定する条件（ステップＳ１０２で設定した条件）に合致しているかを検索する。条件が合致している場合はステップＳ１１５に進み、条件が合致していない場合はステップＳ１１７に進む。
【００４３】
ステップＳ１１５においてシステム制御回路５０は、重要度設定部６８により、記録媒体２００に保存されている条件に合致している画像に、重要度を書き込み、保存を行う。ここで、重要度を設定する条件に合致している画像データが、まだ画像処理回路２０などで処理中であり、記録媒体２００に保存されていない場合には、記録媒体２００に保存されてから重要度の書き込みを行ってもよい。また、メモリ３０に書き込むときに重要度を設定して書き込んでもよい。また、撮影者が複数回重要度設定ボタン６９を押して、ひとつの画像データが複数回、重要度を設定する条件に合致していた場合には、重要度のレベルを上げるように重要度を変更するようにするようにしてもよい。なお、ステップＳ１１４、Ｓ１１５の処理は、本発明でいう重要度付加手段の一処理例に対応する。
【００４４】
次にステップＳ１１６においてシステム制御回路５０は、重要度が設定された画像データを、画像表示部２８に表示する。
【００４５】
そしてステップＳ１１７においては、デジタルカメラ１００は、連写モードが設定されているか否かを確認し、設定されている場合はステップＳ１０９に戻り、シャッタースイッチＳＷ２（６４）が放されるまで、現在の処理を繰り返す。一方、連写モードが設定されていない場合は処理を終了する。
【００４６】
以上、本発明の実施の形態に係るデジタルカメラ１００を説明した。すなわち、デジタルカメラ１００によれば、重要度を付加する画像の条件をあらかじめ設定し、撮影情報のリストを生成することで、撮影者が所定の撮影を中断することなしに、またプレビュー表示や再生表示なしでも重要度を付加することができる。
より具体的に説明すると、デジタルカメラ１００では、撮影がなされたときに日時などを含む画像の撮影情報のリストが生成される。この撮影情報を参照すれば、当初設定した所定の条件に合致する画像に、プレビュー表示や再生表示の動作と関係なく、また、撮影者は撮影を中断することなく、撮影後に撮影者の意図した重要度を付加することが可能となる。そして、このような構成により、本実施の形態に係るデジタルカメラ１００では、その後、撮影者が画像を選別する作業を簡単にできるようにすることができる。
【００４７】
なお、本実施の形態では、図３に示した、時刻(Ｂ)から時刻(Ｃ)の間に撮影された画像が重要度の高いことが分かり、時刻(Ｃ)の時点でデジタルカメラ１００の重要度設定ボタン６９を押したものとした。この場合、例えば当初に図４における「最後に撮影した５枚」を枠４０１により選択していたときは、図３に示す画像３０１〜３０４と画像３０１の直前の画像１枚に重要度が付加されることになる。この際、最後の画像３０４、すなわち撮影された画像から順に高い重要度を付加するようにしてもよい。また、連写撮影などしている場合には、所定時間内に撮影された画像で新しいものほど高い重要度を与えるようにしてもよい。また、デジタルカメラ１００の他の動作例を挙げると、例えば当初に図４における「最後に撮影した画像」を設定していた場合には、撮影中に重要度設定ボタン６９を押すごとに、そのときの画像に重要度が付加されることになる。
【００４８】
（第２の実施の形態）
次に、図６は本発明の第２の実施の形態に係る構成を示した図である。
図６において、１００はデジタルカメラである。６００はデジタルカメラ１００と接続可能なパーソナルコンピュータなどの外部装置である。本実施の形態に係るデジタルカメラ１００は、第１の実施の形態で説明したものと同様であるが、後述する重要度変更通知部２３０を有する点で相違する。なお、図６では、デジタルカメラ１００における構成要素を一部省略し、本実施の形態と関連性が強い構成要素のみを図示しており、以下の説明においても本実施の形態に関連性の強い構成要素のみを説明するものとする。
【００４９】
２１０は通信手段であり、ＲＳ２３２ＣやＵＳＢ、ＩＥＥＥ１３９４、Ｐ１２８４、ＳＣＳＩ、モデム、ＬＡＮ、無線通信などの各種通信機能を有する。２１２は通信手段２１０によりデジタルカメラ１００を他の機器と接続するコネクタあるいは無線通信の場合はアンテナである。デジタルカメラ１００は、通信手段２１０を介してパーソナルコンピュータやプリンタなどの外部装置との間で画像データや画像データに付属した管理情報を送信し合うことができる。
【００５０】
２３０は重要度変更通知部であり、通信手段２１０を介して、外部装置６００に重要度の設定が変更されたことを通知する。
【００５１】
外部装置６００において、６１０は通信手段であり、デジタルカメラ１００をＵＳＢ（Universal Serial Bus）や１３９４ケーブルで接続した際に、デジタルカメラ１００と画像データなどを送受信する。６１２は通信手段６１０により外部装置６００を他の機器と接続するコネクタあるいは無線通信の場合はアンテナである。
【００５２】
６０４は表示部であり、例えばＣＲＴディスプレイや液晶ディスプレイなどで構成され、ＧＵＩ（Graphical User Interface）などの画像を表示する。６０２はＣＰＵであり、上述した各構成に関わる処理すべてを制御する。６０６はＲＯＭであり、各処理に必要な制御プログラムやデータを記憶する。６０８はＲＡＭであり、各処理に必要な作業領域をＣＰＵ６０２に提供する。また、上記制御プログラムは、不図示のハードディスクなどの記録媒体に格納されている場合もあり、その場合は、この制御プログラムが一旦ＲＡＭ６０８に読み出されてからＣＰＵ６０２によって実行される。
【００５３】
次に、図７を参照して、本実施の形態に係るデジタルカメラ１００の動作を説明する。図７はデジタルカメラ１００の主ルーチンを説明するフローチャートである。
【００５４】
まずステップＳ２０１においてデジタルカメラ１００は、撮影処理を実行し、撮像素子１２を介して、メモリ３０に撮影した画像データを一旦書き込む。
【００５５】
次にステップＳ２０２においてデジタルカメラ１００は、撮影情報記録部６６により、画像データの撮影日時を時計７４から取得する。さらに連写の場合にはシステム制御回路５０から連写コマ番号、画像データを送信する送信先、ファイル名などを取得し、撮影情報のリストを生成する。
【００５６】
次にステップＳ２０３においてデジタルカメラ１００は、撮影した画像データの保存先として、外部装置に保存するように設定されている場合、外部装置６００へ画像データの送信を行う。画像データを受信した外部装置６００は、画像データを一度ＲＡＭ６０８に格納し、ＲＯＭ６０６の所定のフォルダに保存する。
【００５７】
次にステップＳ２０４においてデジタルカメラ１００は、撮影された画像に対して撮影者が重要度を設定するために、撮影者がデジタルカメラ１００の重要度設定ボタン６９を押したことを検知したものとする。
【００５８】
次にステップＳ２０５においてデジタルカメラ１００は、重要度設定部６８により、作成した撮影情報のリストを参照し、撮影された画像が重要度を設定する条件に合致しているかどうかを判定する。画像データが重要度を設定する条件に合致している場合はステップＳ２０６に進み、条件に合致していない場合は処理を終了する。
【００５９】
次にステップＳ２０６においてデジタルカメラ１００は、画像データが既に送信済みであるかどうかを判定する。画像データが送信済みでない場合には、メモリ３０に撮影した画像データに重要度を書き込む。一方、画像データが既に送信済みである場合はステップＳ２０７に進み、重要度変更通知部２３０が外部装置６００に重要度変更通知を行う。重要度変更通知には、重要度のレベルと送信時のファイル名などの画像データを特定する情報を付帯させる。ここで、重要度変更通知を受信した外部装置６００は、ＲＯＭ６０６の所定のフォルダに格納されている画像データに対して、受信した重要度を書き込み保存する。
【００６０】
以上、本発明の第２の実施の形態を説明した。すなわち、本実施の形態に係るデジタルカメラ１００では、デジタルカメラ１００が外部装置６００に接続され、撮影した画像をこれに送信する場合に、既に画像を送信した後に撮影者が重要度設定ボタン６９を押しても、所定の画像に対して重要度を設定できる。
より具体的に説明すると、デジタルカメラ１００では、外部装置などに接続して画像を送信する場合でも、生成した撮影情報のリストを参照することによって、外部装置に重要度変更通知を送信できるため、送信後にも重要度を変更することが可能となる。そして、このような構成により、外部装置における、その後の撮影者が画像を選別する作業を簡単にできるようにすることができる。
【００６１】
また、本発明の機能を実現するソフトウエアのプログラムコードを記録した記録媒体を、システムあるいは装置に供給し、そのシステムが記録媒体に格納されたプログラムコードを読み出し実行してもよい。
【００６２】
この場合、記録媒体から読み出されたプログラムコード自体が前述した実施形態の機能を実現することとなり、そのプログラムコードを記憶した記録媒体は本発明を構成することになる。
【００６３】
プログラムコードを供給するための記録媒体としては、例えば、光磁気ディスク、ＣＤ−ＲＯＭ、ＣＤ−Ｒ、磁気テープ、不揮発性のメモリカード、ＲＯＭ、ＤＶＤなどを用いることができる。
【００６４】
また、そのプログラムコードの指示に基づき、コンピュータ上で稼動しているＯＳなどが実際の処理の一部または全部を行い、その処理によって前述した実施例の機能が実現される場合も含まれることは言うまでもない。
【００６５】
さらに、プログラムコードの指示に基づき、その機能拡張ボードなどに備わるＣＰＵなどが実際の処理の一部または全部を行い、その処理によって前述した実施形態の機能が実現される場合も含まれることは言うまでもない。
【図面の簡単な説明】
【００６６】
【図１】本発明の実施の形態に係るデジタルカメラの構成を示した図である。
【図２】本発明の第１の実施の形態に係るデジタルカメラの主ルーチンを説明するフローチャートである。
【図３】本発明の第１の実施の形態に係るデジタルカメラの撮影者の動作のタイミングを説明するための図である。
【図４】本発明の第１の実施の形態に係るデジタルカメラにおいて重要度設定ボタンを押下した際に表示される選択画面を示した図である。
【図５】本発明の第１の実施の形態に係るデジタルカメラにおいて生成される撮影情報のリストを示した図である。
【図６】本発明の第２の実施の形態に係るデジタルカメラ及び外部装置の構成を示した図である。
【図７】本発明の第２の実施の形態に係るデジタルカメラの主ルーチンのフローチャートである。
【符号の説明】
【００６７】
１２  撮像素子
５０  システム制御回路
６６  撮影情報記録部
６８  重要度設定部
１００  デジタルカメラ
２１０  通信手段
２３０  重要度変更通知部
６００  外部装置
【図１】
2010004474.tif 000003
【図２】
2010004474.tif 000004
【図３】
2010004474.tif 000005
【図４】
2010004474.tif 000006
【図５】
2010004474.tif 000007
【図６】
2010004474.tif 000008
【図７】
2010004474.tif 000009